(57)【要約】【課題】パネル等の物品を支柱に対して安定して設置することができる物品の取付構造、及び物品取付セットを提供する。【解決手段】物品の取付構造１０は、支柱１２の前後の端面１２ａ，１２ｂにそれぞれ形成された係合孔２８のうち、一方の係合孔２８に第１前方ブラケット４０ａのフック部４４を係合させて支柱１２の前方側へと突出させ、他方の係合孔２８に第１後方ブラケット４２ａのフック部４４を係合させて支柱１２の後方側へと突出させる。そして、第１前方ブラケット４０ａの先端側の取付部４８と、第１後方ブラケット４２ａの先端側の取付部４８とに渡ってパネル１８を固定することにより、支柱１２の側面を前後方向に跨がせた状態でパネル１８を支柱１２に取り付ける。【選択図】図３
2014090908.tif 000002
【特許請求の範囲】
【請求項１】
前後の端面にそれぞれ係合孔が形成された支柱に対する物品の取付構造であって、
前記支柱の前後の端面にそれぞれ形成された係合孔のうち、一方の係合孔に第１前方ブラケットの基端側を係合させて前記支柱の前方側へと突出させ、他方の係合孔に第１後方ブラケットの基端側を係合させて前記支柱の後方側へと突出させ、
前記第１前方ブラケットの先端側に設けられた第１前方取付部と、前記第１後方ブラケットの先端側に設けられた第１後方取付部とに渡って前記物品を固定することにより、前記支柱の側面を前後方向に跨がせた状態で前記物品を前記支柱に取り付けることを特徴とする物品の取付構造。
【請求項２】
請求項１記載の物品の取付構造において、
前記第１前方ブラケットを係合させた係合孔の下方の係合孔に第２前方ブラケットの基端側を係合させて前記支柱の前方側へと突出させることにより、上下方向に離間させた位置で前記支柱の前方側に前記第１前方ブラケット及び前記第２前方ブラケットを突出させ、
前記第１後方ブラケットを係合させた係合孔の下方の係合孔に第２後方ブラケットの基端側を係合させて前記支柱の後方側へと突出させることにより、上下方向に離間させた位置で前記支柱の後方側に前記第１後方ブラケット及び前記第２後方ブラケットを突出させ、
前記第１前方ブラケットの先端側に設けられた第１前方取付部と、前記第２前方ブラケットの先端側に設けられた第２前方取付部とに前記物品の前方側部位を固定し、
前記第１後方ブラケットの先端側に設けられた第１後方取付部と、前記第２後方ブラケットの先端側に設けられた第２後方取付部とに前記物品の後方側部位を固定することを特徴とする物品の取付構造。
【請求項３】
請求項２記載の物品の取付構造において、
背板と、該背板から屈曲した底板とを有する支持部材を有し、
前記背板を前記第２前方ブラケットの第２前方取付部と前記第２後方ブラケットの第２後方取付部とに渡って固定することにより、前記支持部材を、前記底板が前記物品の下端を支持すると共に該物品の表面下方から突出する位置に設置したことを特徴とする物品の取付構造。
【請求項４】
前後の端面にそれぞれ係合孔が形成された支柱に対して固定される物品取付具と、該物品取付具によって前記支柱に取り付けられる物品とを備える物品取付セットであって、
前記物品取付具は、前記支柱の前後の端面にそれぞれ形成された係合孔のうち、一方の係合孔に基端側が係合されることで前記支柱の前方側へと突出する第１前方ブラケットと、他方の係合孔に基端側が係合されることで前記支柱の後方側へと突出する第１後方ブラケットとを備え、
前記物品は、その前方側部位に前記第１前方ブラケットの先端側に設けられた第１前方取付部に取付可能な第１前方被取付部が設けられ、その後方側部位に前記第１後方ブラケットの先端側に設けられた第１後方取付部に取付可能な第１後方被取付部が設けられることを特徴とする物品取付セット。
【請求項５】
請求項４記載の物品取付セットにおいて、
前記物品取付具は、さらに、前記第１前方ブラケットを係合させる係合孔の下方の係合孔に基端側が係合されることにより、前記第１前方ブラケットの下方で前記支柱の前方側へと突出する第２前方ブラケットと、前記第１後方ブラケットを係合させる係合孔の下方の係合孔に基端側が係合されることより、前記第１後方ブラケットの下方で前記支柱の後方側へと突出する第２後方ブラケットとを備え、
前記物品は、さらに、その前方側部位における前記第１前方被取付部の下方に、前記第２前方ブラケットの先端側に設けられた第２前方取付部に取付可能な第２前方被取付部が設けられ、その後方側部位における前記第１後方被取付部の下方に、前記第２後方ブラケットの先端側に設けられた第２後方取付部に取付可能な第２後方被取付部が設けられていることを特徴とする物品取付セット。
【請求項６】
請求項５記載の物品取付セットにおいて、
さらに、背板と、該背板から屈曲した底板とを有する支持部材を備え、
前記背板には、前記第２前方取付部に取付可能な前方被取付部と、前記第２後方取付部に取付可能な後方被取付部とが設けられ、
前記底板は、前記前方被取付部及び前記後方被取付部がそれぞれ前記第２前方取付部及び前記第２後方取付部に取り付けられた状態で、前記物品の下端を支持すると共に該物品の表面下方から突出することを特徴とする物品取付セット。
【発明の詳細な説明】
【技術分野】
【０００１】
本発明は、支柱の前後の端面にそれぞれ設けられた係合孔を用いて該支柱にパネル等の物品を取り付けるための物品の取付構造、及び物品取付セットに関する。
【背景技術】
【０００２】
例えば、企業や研究所、大学等の研究室等には、通常、専門的な実験を行うための什器として実験台が設置されている。一般的にこれら実験台には、様々な実験器具や実験機器を載置したり、実験作業を行い易くしたりするために、作業平面や部品載置面が広く確保されていることが求められている。
【０００３】
そこで、このようなニーズに応えるものとして、広い作業用の天板と、該天板の後方側の上方に設けられた収納棚或いは棚板とを備えた実験台が提案されている（特許文献１参照）。この実験台は、その前後の端面に複数の係合孔を設けた支柱を左右に立脚させ、それぞれの支柱の係合孔に対して天板等の支持アームのフック部を係合させることにより、左右の支柱の間に天板や収納棚等を設置することができる。
【先行技術文献】
【特許文献】
【０００４】
【特許文献１】特開２０１０−１０４９５０号公報
【発明の概要】
【発明が解決しようとする課題】
【０００５】
ところで、上記した実験台のような什器では、研究者同士がディスカッションを行なうために、ペンで文字を書いたり、実験データ等の紙を貼り付けたりするために、パネル（例えば、ガラスボードやホワイトボード）等の物品を簡単に取り付けたいという要望がある。
【０００６】
ガラスボード等のパネルは、ある程度の外形上の大きさを有することから、実験等の邪魔にならず、また複数人で共有できる位置に安定して設置できることが好ましい。このような要望は、図書館やコンビニエンスストア、スーパーマーケット等にある書棚や商品陳列棚等の什器についても同様であり、例えばポスター等の掲示物等を簡単に掲げることができると高い利便性を得ることができる。そこで、上記のような実験台や書棚等の天板や棚を支える支柱にパネル等の物品を簡単に設置できれば、上記のような要望を満たすことができて好ましい。
【０００７】
本発明は、上記従来技術の課題を考慮してなされたものであり、パネル等の物品を支柱に対して安定して設置することができる物品の取付構造、及び物品取付セットを提供することを目的とする。
【課題を解決するための手段】
【０００８】
本発明に係る物品の取付構造は、前後の端面にそれぞれ係合孔が形成された支柱に対する物品の取付構造であって、前記支柱の前後の端面にそれぞれ形成された係合孔のうち、一方の係合孔に第１前方ブラケットの基端側を係合させて前記支柱の前方側へと突出させ、他方の係合孔に第１後方ブラケットの基端側を係合させて前記支柱の後方側へと突出させ、前記第１前方ブラケットの先端側に設けられた第１前方取付部と、前記第１後方ブラケットの先端側に設けられた第１後方取付部とに渡って前記物品を固定することにより、前記支柱の側面を前後方向に跨がせた状態で前記物品を前記支柱に取り付けることを特徴とする。
【０００９】
また、本発明に係る物品取付セットは、前後の端面にそれぞれ係合孔が形成された支柱に対して固定される物品取付具と、該物品取付具によって前記支柱に取り付けられる物品とを備える物品取付セットであって、前記物品取付具は、前記支柱の前後の端面にそれぞれ形成された係合孔のうち、一方の係合孔に基端側が係合されることで前記支柱の前方側へと突出する第１前方ブラケットと、他方の係合孔に基端側が係合されることで前記支柱の後方側へと突出する第１後方ブラケットとを備え、前記物品は、その前方側部位に前記第１前方ブラケットの先端側に設けられた第１前方取付部に取付可能な第１前方被取付部が設けられ、その後方側部位に前記第１後方ブラケットの先端側に設けられた第１後方取付部に取付可能な第１後方被取付部が設けられることを特徴とする。
【００１０】
このような構成によれば、支柱の前後の端面に設けられた係合孔にそれぞれ第１前方ブラケット及び第１後方ブラケットを係合させ、これら第１前方ブラケット及び第１後方ブラケットの各取付部を用いて、パネル等の物品を支柱の側面に取り付ける。このため、物品を支柱の側面を前後方向に跨がせた状態で簡単に且つ安定して支柱に固定することができる。
【００１１】
前記第１前方ブラケットを係合させた係合孔の下方の係合孔に第２前方ブラケットの基端側を係合させて前記支柱の前方側へと突出させることにより、上下方向に離間させた位置で前記支柱の前方側に前記第１前方ブラケット及び前記第２前方ブラケットを突出させ、前記第１後方ブラケットを係合させた係合孔の下方の係合孔に第２後方ブラケットの基端側を係合させて前記支柱の後方側へと突出させることにより、上下方向に離間させた位置で前記支柱の後方側に前記第１後方ブラケット及び前記第２後方ブラケットを突出させ、前記第１前方ブラケットの先端側に設けられた第１前方取付部と、前記第２前方ブラケットの先端側に設けられた第２前方取付部とに前記物品の前方側部位を固定し、前記第１後方ブラケットの先端側に設けられた第１後方取付部と、前記第２後方ブラケットの先端側に設けられた第２後方取付部とに前記物品の後方側部位を固定する構成としてもよい。そうすると、物品の前後上下の４箇所を各ブラケットによって支持・固定することができるため、一層高い取付強度及び安定性で物品を支柱の側面に設置することができ、特に、外形の大きなパネル等を設置する場合に有効である。
【００１２】
背板と、該背板から屈曲した底板とを有する支持部材を有し、前記背板を前記第２前方ブラケットの第２前方取付部と前記第２後方ブラケットの第２後方取付部とに渡って固定することにより、前記支持部材を、前記底板が前記物品の下端を支持すると共に該物品の表面下方から突出する位置に設置する構成としてもよい。そうすると、支持部材で物品の下端を支持することで、該物品を一層安定して支柱に固定することができ、さらに、底板の上面をペン等を載置するための受け皿として利用することができる。
【発明の効果】
【００１３】
本発明によれば、支柱の前後の端面にそれぞれ第１前方ブラケット及び第１後方ブラケットを係合させ、これら第１前方ブラケット及び第１後方ブラケットの各取付部を用いて、パネル等の物品を支柱の側面に取り付ける。このため、物品を支柱の側面を前後方向に跨がせた状態で簡単に且つ安定して支柱に固定することができる。
【図面の簡単な説明】
【００１４】
【図１】図１は、本発明の一実施形態に係る物品の取付構造を適用した什器の斜視図である。
【図２】図２は、図１に示す什器の一部分解斜視図である。
【図３】図３は、図１に示す什器の側面図である。
【図４】図４は、支柱に取付具を介してパネルを設置した状態を示す側面図である。
【図５】図５は、取付具を構成する上部部品の支柱への取付構造を示す分解斜視図である。
【図６】図６は、取付具を構成する下部部品の支柱への取付構造を示す分解斜視図である。
【図７】図７は、パネルの構成図であり、図７（Ａ）は、外側面図であり、図７（Ｂ）は、正面図である。
【図８】図８は、第１前方ブラケットの構成図であり、図８（Ａ）は、平面図であり、図８（Ｂ）は、外側面図であり、図８（Ｃ）は、正面図である。
【図９】図９は、支持部材の構成図であり、図９（Ａ）は、平面図であり、図９（Ｂ）は、外側面図であり、図９（Ｃ）は、正面図である。
【発明を実施するための形態】
【００１５】
以下、本発明に係る物品の取付構造について、この取付構造を適用した什器との関係で好適な実施の形態を挙げ、添付の図面を参照しながら詳細に説明する。
【００１６】
図１は、本発明の一実施形態に係る物品の取付構造１０を適用した什器１１の斜視図であり、図２は、図１に示す什器１１の一部分解斜視図である。また、図３は、図１に示す什器１１の側面図である。本実施形態では、物品の取付構造１０（以下、単に「取付構造１０」ともいう）を適用した什器１１として、企業や研究所、大学等の研究室等に設置され、研究者が実験等の作業を行なうための実験台を例示する。本発明は、実験台以外のもの、例えば、図書館の書棚やコンビニエンスストア等の商品陳列棚等、各種用途の什器に対して適用可能であることは勿論である。
【００１７】
本実施形態では、図１及び図２に示すように、什器１１を左右方向（Ｘ方向）に２台並べて設置すると共に、一方の什器１１の側部に取付構造１０を適用した構成を例示しているが、什器１１は単品で設置することも勿論可能である。また、取付構造１０は、両方の什器１１，１１の側部に適用することも勿論可能である。
【００１８】
先ず、本実施形態に係る取付構造１０の説明に先立ち、什器１１の構成について説明する。なお、２台の什器１１，１１は、略同様の構成であるので、以下では、取付構造１０を適用した一方の什器１１について詳細に説明し、他方の什器１１についての説明は省略する。
【００１９】
図１及び図２に示すように、什器１１は、左右一対で床面上に立設された中空状の支柱１２，１２と、左右の支柱１２，１２間に渡って架設された天板１４とを備え、外側を向く一方の支柱１２の側面（Ｘ方向側面）に、取付具（物品取付具）１６を介してパネル１８を設置することで取付構造１０が適用されている。パネル１８は、例えば、図示しないペン等で文字を書いたり、実験データ等の紙を貼り付けたりすることができる半透明のガラスボードである。什器１１の左右の支柱１２，１２間には、さらに、上方から下方に向かって順に、上部ビーム２０と、ユーティリティービーム２２と、ダクト装置２４とが架設されている。
【００２０】
このような什器１１では、電源線や信号線等の配線（図示せず）と、冷水や温水等の流体や各種ガス等の気体を供給するための配管（図示せず）とが、図示しない天井から引き出された後に支柱１２の内部を通って配設されており、ユーティリティービーム２２及びダクト装置２４から適宜取り出されるように構成されている。
【００２１】
一対の支柱１２，１２は、内側面を対向させた状態で左右方向に互いに離間して配置され、床面上に立設されている。各支柱１２の下部には、前後方向（Ｚ方向）に延びた脚部２６が向かい合わせで着脱自在に固定されている。支柱１２は、この脚部２６に支えられた状態で床面に立設されている。脚部２６は、図示しない係合爪部を複数有しており、これら複数の係合爪部を後述する係合孔２８に係合させることにより、支柱１２の前部の端面（前端面）１２ａ及び後部の端面（後端面）１２ｂに着脱可能である。
【００２２】
天板１４は、フラットな平面視矩形状の板であり、長手方向が一対の支柱１２，１２間に架け渡される大きさに形成されている。天板１４の両端の下面には、脚部２６と同様に係合孔２８に係合可能な係合爪部３０ａを有するブラケット３０がそれぞれ固定されている。係合孔２８は、各支柱１２の前後の端面１２ａ，１２ｂに対し、上下方向に沿って複数形成されている（図２参照）。これにより、天板１４は、床面からの高さが異なる複数の位置で支柱１２に対して着脱可能であり、選択された位置で一対の支柱１２，１２間に架け渡されるように固定される。
【００２３】
本実施形態の場合、天板１４は、作業者が実験を行うための作業平面として、或いは各種の実験機器を載置する載置面として利用されるものであり、図１及び図３に示すように、支柱１２の前後の端面１２ａ，１２ｂにそれぞれ同じ高さで２枚の天板１４を対面させた構成を例示している。支柱１２の係合孔２８は、天板１４や後述する取付具１６以外にも、例えば、支柱１２，１２間に渡る収納棚や薬品棚等、各種の棚や器具の取付用として利用できる。
【００２４】
図１中に２点鎖線で示すように、什器１１では、支柱１２の側面側であって、前後の天板１４，１４の側面を渡る位置に、平面視半円状のコーナー天板１５を取り付けることもできる。コーナー天板１５は、例えば、支柱１２の係合孔２８や、支柱１２の外側面に形成される図示しない取付孔等を利用し、所定のブラケット等を利用して固定される。コーナー天板１５を設置することにより、その上部で支柱１２の側面に固定されるパネル１８と共に、当該什器１１を使用する複数の研究者のディスカッションスペースが構築され、什器１１の側方を有効利用できる。
【００２５】
上部ビーム２０は、断面Ｃ形状に形成された梁部材であり、一対の支柱１２，１２間に固定されている。この上部ビーム２０は、支柱１２，１２同士を横方向に連結するだけでなく、一方の支柱１２側から他方の支柱１２側へと、上記した配線を引き回す役割も果たす。上部ビーム２０は、一対の支柱１２，１２の対向する内側面に対して図示しないボルト、ナット等を用いて締結されるものであり、ユーティリティービーム２２及びダクト装置２４についても同様に取り付けされる。
【００２６】
ユーティリティービーム２２は、断面矩形状に形成された中空状の梁部材であり、上部ビーム２０と同様に一対の支柱１２，１２間に固定されている。ユーティリティービーム２２の内部には、上記した配線及び配管が支柱１２側から引き出されてそれぞれ配設されている。また、ユーティリティービーム２２の前後方向の両面には、内部に配設された配線が接続される電源コネクタ２２ａと、配管が接続されるバルブ２２ｂとがそれぞれ複数設けられている。
【００２７】
ダクト装置２４は、断面矩形状に形成された中空状の梁部材であり、ユーティリティービーム２２と同様に一対の支柱１２，１２間に固定されている。ダクト装置２４の内部には、上記した配線が支柱１２側から引き出されて配設されている。ダクト装置２４の上面には、取出口３２ａが設けられた着脱自在な蓋プレート３２が嵌っており、内部に配設された配線を、取出口３２ａを通じて外部に取り出すことができるようになっている。
【００２８】
次に、支柱１２の具体的な構成について説明する。
【００２９】
図４は、支柱１２に取付具１６を介してパネル１８を設置した状態を示す側面図であり、パネル１８の前後方向（図４では左右方向）の略中央より前方側（図４では左側）略半分を省略した図となっている。図５は、取付具１６を構成する上部部品の支柱１２への取付構造を示す分解斜視図であり、また、図６は、取付具１６を構成する下部部品の支柱１２への取付構造を示す分解斜視図である。
【００３０】
図５に示すように、支柱１２は、上下方向（Ｙ方向）に延在する配線用空間Ｅ１が内部に形成された支柱本体３４と、支柱本体３４の左右方向外側面に対して着脱自在に固定され、支柱本体３４との間に上下方向に延在する配管用空間Ｅ２を形成するカバー部材３６とから構成されている（図２も参照）。なお、本実施形態では、２台の什器１１，１１を左右方向に一体的に配設した構成を採用しているため、各什器１１の互いに当接する一方の支柱１２、つまり図１中の中央に配設された２本の支柱１２，１２にはカバー部材３６を設けず、これら２本の支柱１２，１２の支柱本体３４，３４同士を密着させた状態で配設している。
【００３１】
図２及び図５に示すように、支柱本体３４は、上下方向（Ｙ方向）に延在する平面視矩形状の柱部材であり、ユーティリティービーム２２等が固定される内側面には、内方に凹み形成された溝部３４ａが上下方向に渡って形成されている。溝部３４ａ内には、スリットが形成された断面略Ｃ型状の長尺なチャンネル部材３８が嵌合されており、このチャンネル部材３８内の空間が配線用空間Ｅ１となる。チャンネル部材３８には、スリットを塞ぐ軟質なシート状の塞ぎ部材３８ａが設けられている。塞ぎ部材３８ａは、ゴム等の柔らかい材料で形成された可撓性の部材であり、一端側がチャンネル部材３８に固定され、他端側が自由端となっている。これにより、塞ぎ部材３８ａを変形させて、配線用空間Ｅ１に配設された図示しない配線を必要時に出し入れすることができる。
【００３２】
支柱本体３４の前後方向（Ｚ方向）にそれぞれ向いた端面１２ａ，１２ｂには、一定の間隔をあけながら複数の矩形スリット状の係合孔２８が上下方向に一列に形成されている（図２及び図５参照）。係合孔２８は、上記した脚部２６や天板１４等、さらに取付具１６が固定される孔部である。本実施形態の場合、係合孔２８は、上下方向に沿って複数形成されているので、使用する係合孔２８を変更することにより、天板１４や取付具１６（つまりパネル１８）の位置を上下方向で所望の位置に変更することができる。
【００３３】
カバー部材３６は、平面視略Ｃ型状に形成され、支柱本体３４と略同一長さに形成された長尺な部材である。カバー部材３６が支柱本体３４の左右方向（Ｘ方向）の外側面に接した際に、両者の間には上下方向に延在する空間である配管用空間Ｅ２が形成される。カバー部材３６は、図示しない係合爪が、支柱本体３４の側面（ＸＸ方向の外側面）に形成された図示しないカバー部材用係合孔に係合されることにより、支柱本体３４に対して着脱自在に固定される。
【００３４】
このような支柱本体３４とカバー部材３６とからなる一方の支柱１２には、図示しない天井から引き出された上記の配線及び配管がそれぞれ配設されると共に、該配線は配線用空間Ｅ１に配設され、該配管は配管用空間Ｅ２に通される。図１及び図２に示すように、当該支柱１２の最上部には、天井と支柱１２との間の接続が外部に露呈するのを防止するための上部カバー３９が設けられている。
【００３５】
次に、このような支柱１２に取り付けられるパネル１８、及びパネル１８を支柱１２に対して固定するための治具である取付具１６の具体的な構成について説明する。
【００３６】
先ず、パネル１８の具体的な構成について説明する。
【００３７】
図７は、パネル１８の構成図であり、図７（Ａ）は、外側面図であり、図７（Ｂ）は、正面図である。
【００３８】
図７（Ａ）及び図７（Ｂ）に示すように、パネル１８は、角部が円弧状に形成された矩形で半透明のガラス板であり、当該パネル１８を取付具１６に固定するための取付孔３３が四隅に形成されている。取付孔３３は、パネル１８の表面（外側面）１８ａ側から裏面（内側面）１８ｂ側に向かう板厚方向で次第に縮径するテーパ形状であり、この表面１８ａに向かって拡径するテーパ形状部分に化粧ナット３５が対応配置される（図１、図４及び図６参照）。化粧ナット３５は、図６に示すように、取付孔３３のテーパ形状部分に挿入されるテーパ部３５ａと、テーパ部３５ａの頂部に設けられる円板部３５ｂとを備え、その中心にテーパ部３５ａから円板部３５ｂの内部まで穿孔された雌ねじ３５ｃが形成されている。
【００３９】
次に、取付具１６の具体的な構成について説明する。
【００４０】
本実施形態の場合、取付具１６は基本的には４部品で構成されており、支柱１２の前後の端面１２ａ，１２ｂにそれぞれ形成された係合孔２８に対し、それぞれ上下２段で着脱可能に取り付けられ、支柱１２の外側面にパネル１８を取り付けるためのブラケットである。
【００４１】
図２〜図４に示すように、取付具１６は、支柱１２の前方の端面１２ａに形成された係合孔２８に対し、上下方向で所定間隔離間して係合される第１前方ブラケット（上部前方ブラケット）４０ａ及び第２前方ブラケット（下部前方ブラケット）４０ｂと、支柱１２の後方の端面１２ｂに形成された係合孔２８に対し、上下方向で所定間隔離間して係合される第１後方ブラケット（上部後方ブラケット）４２ａ及び第２後方ブラケット（下部後方ブラケット）４２ｂとを備える。
【００４２】
図８は、第１前方ブラケット４０ａの構成図であり、図８（Ａ）は、平面図であり、図８（Ｂ）は、外側面図であり、図８（Ｃ）は、正面図である。
【００４３】
図４、図５及び図８に示すように、第１前方ブラケット４０ａは、側面視で支柱１２側となる基端側が上下方向（Ｙ方向）で幅広に形成され、基端側から先端側に向けて平面視で一旦階段状に折り曲げられた後、前方方向（Ｚ方向）へと延在するプレート片である。第１前方ブラケット４０ａは、その基端側に設けられ、支柱１２の係合孔２８に着脱可能に係合するフック部４４と、フック部４４から前方側へと延在するプレート部４６と、プレート部４６の先端側に設けられ、パネル１８が取り付けられる取付部（第１前方取付部、上部前方取付部）４８とを有する。
【００４４】
フック部４４には、前後方向（Ｚ方向）に沿う矩形帯状の板状部材の端部に上下方向に沿って２個の係合爪部４４ａが設けられている（図５及び図８（Ｂ）参照）。各係合爪部４４ａのピッチ（間隔）は、支柱１２の各係合孔２８のピッチの整数倍に設定されている。フック部４６を所望の係合孔２８に係合させることにより、第１前方ブラケット４０ａの基端側を支柱１２の端面１２ａに着脱可能に固定し、その先端側を前方側へと突出させることができる。
【００４５】
プレート部４６は、前後方向（Ｚ方向）に沿う矩形の板状部材であり、フック部４４の端部から一旦左右方向（Ｘ方向）外方へと短く直角に折り曲げられた後、さらに前後方向（Ｚ方向）前方へと直角に折り曲げられ、支柱１２の前方側へと突出している（図５及び図８（Ａ）〜図８（Ｃ）参照）。プレート部４６の先端は円弧形状となっており、この先端付近に取付部４８が設けられている。
【００４６】
取付部４８は、プレート部４６を板厚方向に貫通する貫通孔である。取付部４８の内面側からボルト５０のねじ部が挿通されることにより、取付部４８の外面側に短尺円柱形状のスペーサ５２を挟んでパネル１８の裏面１８ｂが固定される。より具体的には、スペーサ５２の貫通孔５２ａを挿通したボルト５０のねじ部は、パネル１８の前方上部の取付孔（第１前方被取付部、上部前方被取付部）３３に通され、パネル１８の表面１８ａ側に配置された化粧ナット３５に締結される。
【００４７】
なお、第２前方ブラケット４０ｂは、上記した第１前方ブラケット４０ａの下方に取り付けられるものであり、該第１前方ブラケット４０ａと同一形状且つ同一構成である（図４及び図６参照）。そこで、第２前方ブラケット４０ｂの各構成要素については、第１前方ブラケット４０ａのものと同一の参照符号を付してその詳細な説明を省略する。
【００４８】
すなわち、第２前方ブラケット４０ａは、２個の係合爪部４４ａが設けられたフック部４４と、フック部４４から前方側へと延びるプレート部４６と、プレート部４６の先端側に設けられた取付部４８とを有する。第２前方ブラケット４０ｂの取付部（第２前方取付部、下部前方取付部）４８には、パネル１８の前方下部の取付孔３３（第２前方被取付部、下部前方被取付部）が取り付けられる。
【００４９】
一方、第１後方ブラケット４２ａ及び第２後方ブラケット４２ｂは、支柱１２を挟むように、上記した第１前方ブラケット４０ａ及び第２前方ブラケット４０ｂとは反対側の端面１２ｂに取り付けられるものであり、第１前方ブラケット４０ａ（第２前方ブラケット４０ｂ）に対して左右方向（Ｘ方向）を基準とする対称形状に形成される以外は該第１前方ブラケット４０ａ等と同一形状且つ同一構成である（図４〜図６参照）。そこで、第１後方ブラケット４２ａ及び第２後方ブラケット４２ｂの各構成要素についても、第１前方ブラケット４０ａのものと同一の参照符号を付してその詳細な説明を省略する。
【００５０】
すなわち、第１後方ブラケット４２ａ（第２後方ブラケット４２ｂ）は、２個の係合爪部４４ａが設けられたフック部４４と、フック部４４から前方側へと延びるプレート部４６と、プレート部４６の先端側に設けられた取付部４８とを有する。第１後方ブラケット４２ａの取付部（第１後方取付部、上部後方取付部）４８には、パネル１８の後方上部の取付孔（第１後方被取付部、上部後方被取付部）３３が取り付けられる。第２後方ブラケット４２ｂの取付部（第２後方取付部、下部後方取付部）４８には、パネル１８の後方下部の取付孔（第２後方被取付部、下部後方被取付部）３３が取り付けられる。
【００５１】
従って、取付具１６では、各ブラケット４０ａ，４０ｂ，４２ａ，４２ｂがそれぞれ所定の係合孔２８に係合された状態で、第１前方ブラケット４０ａの取付部４８と第１後方ブラケット４２ａの取付部４８との間の間隔（前後方向距離）は、パネル１８の上部両端の取付孔３３，３３間の間隔と同一に設定され、同様に、第２前方ブラケット４０ｂの取付部４８と第２後方ブラケット４２ｂの取付部４８との間の間隔は、パネル１８の下部両端の取付孔３３，３３間の間隔と同一に設定される。
【００５２】
図１に示すように、本実施形態に係る取付構造１０では、パネル１８の下端に、正面視略Ｌ字状の支持部材５４を設置している。
【００５３】
図９は、支持部材５４の構成図であり、図９（Ａ）は、平面図であり、図９（Ｂ）は、外側面図であり、図９（Ｃ）は、正面図である。
【００５４】
図６及び図９（Ａ）〜図９（Ｃ）に示すように、支持部材５４は、前後方向（Ｚ方向）に沿う矩形帯状の背板５６と、背板５６の下端部から左右方向（Ｘ方向）で外方に折り曲げられた底板５８とを備える。支持部材５４は、その前後方向長さ（幅）が、パネル１８の前後方向長さ（幅）よりも多少短く設定されると共に、該パネル１８の下端をサポートするサポート板である。
【００５５】
背板５６は、その両端部に上方に膨出した円弧状の凸部５６ａ，５６ａが設けられ、各凸部５６ａに一部が重なるようにして板厚方向の貫通孔である取付孔（前方被取付部、後方被取付部）５６ｂが形成されている。図６に示すように、背板５６は、パネル１８の裏面１８ｂと、第２前方ブラケット４０ｂ及び第２後方ブラケット４２ｂにそれぞれ着地するスペーサ５２との間に挟持され、各取付孔５６ｂにボルト５０が挿通されることでパネル１８と共に取付具１６に対して共締め固定される。従って、支持部材５４を構成する前後一対の取付孔５６ｂ，５６ｂ間の間隔（前後方向距離）は、パネル１８の下部両端の取付孔３３，３３間の間隔と同一に設定される。
【００５６】
底板５８は、その先端に斜め上方へと短く折り曲げられたガード部５８ａを有する。上記のように、背板５６が取付具１６によってパネル１８の裏面１８ｂ側に固定されることで、底板５８は、その上面でパネル１８の下端を支持しつつ、表面１８ａの下方から外方へと突出した位置に設置され、底板５８先端のガード部５８ａがパネル１８の表面１８ａから多少離間した位置に配置される（図６参照）。従って、底板５８の基端側にパネル１８の表面１８ａが立設され、先端側にガード部５８ａが立設されるため、底板５８の上面を、ペン等の文房具等を載置可能な受け皿として機能させることができる。なお、底板５８の上面は、パネル１８の下端に当接させなくてもよい。
【００５７】
次に、以上のように構成される取付具１６を用いた支柱１２へのパネル１８の取付方法及び取付構造（物品の取付構造１０）の一例を説明する。
【００５８】
パネル１８を支柱１２に取り付ける際には、先ず、取付具１６を支柱１２に固定する。パネル１８の上部を支持するために、支柱１２の前後の端面１２ａ，１２ｂに形成される所望の高さ位置の係合孔２８に対し、それぞれ第１前方ブラケット４０ａ及び第１後方ブラケット４２ａの係合爪部４４ａを挿入し係合させる（図４及び図５参照）。続いて、パネル１８の下部を支持するために、第１前方ブラケット４０ａ及び第１後方ブラケット４２ａを係合させた端面１２ａ，１２ｂの各係合孔２８より下方の係合孔２８に対し、それぞれ第２前方ブラケット４０ｂ及び第２後方ブラケット４２ｂの係合爪部４４ａを挿入し係合させる（図４及び図６参照）。
【００５９】
支柱１２に係合させた第１前方ブラケット４０ａ及び第１後方ブラケット４２ａの各取付部４８に対して内面側からボルト５０のねじ部を挿通させると共に、該ねじ部をスペーサ５２の貫通孔５２ａを介してパネル１８上部の各取付孔３３に裏面１８ｂ側から通し、表面１８ａ側から化粧ナット３５で仮締結する。続いて、支柱１２に係合させた第２前方ブラケット４０ｂ及び第２後方ブラケット４２ｂの各取付部４８に対して内面側からボルト５０のねじ部を挿通させると共に、該ねじ部をスペーサ５２の貫通孔５２ａ及び支持部材５４の取付孔５６ｂを介してパネル１８下部の各取付孔３３に裏面１８ｂ側から通し、表面１８ａ側から化粧ナット３５で仮締結する。その後、４個の化粧ナット３５の全てを所定の締結強度でボルト５０に対して本締結する。
【００６０】
これにより、パネル１８は支柱１２の側面を前後方向に跨ぐ姿勢で、その上部両端が第１前方ブラケット４０ａ及び第１後方ブラケット４２ａの各先端に設けた各取付部４８により支持・固定され、その下部両端が第２前方ブラケット４０ｂ及び第２後方ブラケット４２ｂの各先端に設けた各取付部４８により支持・固定されるため、パネル１８の取付具１６を介した支柱１２への取り付けが完了する（図１及び図４参照）。このように、取付具１６は、パネル１８の四隅をそれぞれ各ブラケット４０ａ，４０ｂ，４２ａ，４２ｂによって支持することができるため、高い取付強度及び安定性でパネル１８を支柱１２の側面に設置することができ、特に外形の大きなパネル１８等であっても安定して固定することができる。
【００６１】
なお、パネル１８の大きさや形状、材質等によっては、その下部両端を支持・固定する第２前方ブラケット４０ｂ及び第２後方ブラケット４２ｂを省略し、その上部両端のみを第１前方ブラケット４０ａ及び第１後方ブラケット４２ａの各先端に設けた各取付部４８により支持・固定する取付構造としてもよい。また、この構造であっても、支持部材５４の取付孔５６ｂとパネル１８の下部両端の取付孔３３とを利用してパネル１８の下端に支持部材５４を設けてもよく、パネル１８の下部両端に取付孔３３を設けていない構造の場合には、図示しない接着テープや取付孔、ボルト・ナット等を用いて支持部材５４をパネル１８の下端に固定するとよい。
【００６２】
以上のように、本実施形態に係る物品の取付構造１０は、前後の端面１２ａ，１２ｂにそれぞれ係合孔２８が形成された支柱１２に対する物品（本実施形態ではパネル１８）の取付構造であり、支柱１２の前後の端面１２ａ，１２ｂにそれぞれ形成された係合孔２８のうち、一方の係合孔２８に第１前方ブラケット４０ａの基端側のフック部４４を係合させて支柱１２の前方側へと突出させ、他方の係合孔２８に第１後方ブラケット４２ａの基端側のフック部４４を係合させて支柱１２の後方側へと突出させる。そして、第１前方ブラケット４０ａの先端側に設けられた取付部４８と、第１後方ブラケット４２ａの先端側に設けられた取付部４８とに渡ってパネル１８を固定することにより、支柱１２の側面を前後方向に跨がせた状態でパネル１８を支柱１２に取り付ける。
【００６３】
このように、取付構造１０では、支柱１２の前後の端面１２ａ，１２ｂにそれぞれ設けられた係合孔２８にそれぞれ第１前方ブラケット４０ａ及び第１後方ブラケット４２ａを係合させ、これら第１前方ブラケット４０ａ及び第１後方ブラケット４２ａの各取付部４８を用いて、パネル１８を支柱１２の側面に取り付ける。このため、パネル１８を支柱１２の側面を前後方向に跨がせた状態で簡単に且つ安定して支柱１２に固定することができる。
【００６４】
取付構造１０は、支柱１２に対して、第１前方ブラケット４０ａ及び第１後方ブラケット４２ａのフック部４４に設けられた係合爪部４４ａを係合孔２８に係合させ、これらに渡るようにパネル１８を固定するだけの簡素な構成であり、支柱１２に対する取付具１６の着脱も容易となっている。また、支柱１２の側面を跨ぐようにパネル１８を設置できるため、ある程度の大きさを有するパネル１８を、実験等の邪魔にならず、また複数人で共有できる什器１１の側部位置、つまり支柱１２の側面に対して固定することができ、利便性も高い。
【００６５】
取付構造１０では、さらに、第１前方ブラケット４０ａを係合させた係合孔２８の下方の係合孔２８に第２前方ブラケット４０ｂの基端側のフック部４４を係合させて支柱１２の前方側へと突出させることにより、上下方向に離間させた位置で支柱１２の前方側に第１前方ブラケット４０ａ及び第２前方ブラケット４０ｂを突出させ、第１後方ブラケット４２ａを係合させた係合孔２８の下方の係合孔２８に第２後方ブラケット４２ｂの基端側のフック部４４を係合させて支柱１２の後方側へと突出させることにより、上下方向に離間させた位置で支柱１２の後方側に第１後方ブラケット４２ａ及び第２後方ブラケット４２ｂを突出させている。そして、第１前方ブラケット４０ａの先端側に設けられた取付部４８と、第２前方ブラケット４０ｂの先端側に設けられた取付部４８とにパネル１８の前方側部位を固定し、第１後方ブラケット４２ａの先端側に設けられた取付部４８と、第２後方ブラケット４２ｂの先端側に設けられた取付部４８とにパネル１８の後方側部位を固定する。これにより、パネル１８の四隅をそれぞれ各ブラケット４０ａ，４０ｂ，４２ａ，４２ｂによって支持・固定することができるため、一層高い取付強度及び安定性でパネル１８を支柱１２の側面に設置することができる。
【００６６】
取付構造１０では、さらに、背板５６と、該背板５６から屈曲した底板５８とを有する支持部材５４を有し、背板５６を第２前方ブラケット４０ｂの取付部４８と第２後方ブラケット４２ｂの取付部４８とに渡って固定することにより、支持部材５４を、底板５８がパネル１８の下端を支持すると共に該パネル１８の表面１８ａ下方から突出する位置に設置している。このため、支持部材５４でパネル１８の下端を支持することで、該パネル１８を一層安定して支柱１２に固定することができ、さらに、底板５８の上面をペン等を載置するための受け皿として利用することができる。
【００６７】
本実施形態の場合、取付具１６は、支柱１２の前後の端面１２ａ，１２ｂに対して、天板１４等を取り付けるために予め形成された当該什器１１の標準仕様の係合孔２８を利用して取り付けられ、支柱１２の側面にパネル１８を設置することが可能となっている。このため、什器１１では、例えば、オプション品として構成されるパネル１８や図示しないホワイトボード等を支柱１２の側面に取り付ける場合であっても、これらオプション品のための係合孔や取付部を支柱１２の側面に形成しておく必要がなく、支柱１２の外観が損なわれることもなく、また低コストでこれらオプション品を追加することができる。換言すれば、取付構造１０では、オプション部品として、取付具１６やパネル１８、ボルト５０等を備えた物品取付セット（パネルセット、物品セット）を準備しておき、予め支柱１２に設けられている係合孔２８を利用するだけで、容易に支柱１２にパネル１８を設置することができ、什器１１の汎用性や利便性が高くなる。
【００６８】
本実施形態に係る取付構造１０によって支柱１２に固定可能な物品としては、ガラスボードからなるパネル１８以外であっても勿論よく、例えば、上記したホワイトボードの他に、図示しない収納ラック等、各種の物品を取り付けることができる。例えば、什器１１を図書館の書棚（図示せず）に適用した場合には、該書棚の側部に対し、書籍の管理情報や収納位置を表示する掲示板やポスター、タッチパネルディスプレイ等を設置することができる。また、什器１１をコンビニエンスストア等の商品陳列棚に適用した場合には、該商品陳列棚の側部に対し、商品の販売促進用のポスターやディスプレイ等、さらには補助的な陳列棚等を設置することができる。
【００６９】
なお、本発明は、上記した実施形態に限定されるものではなく、本発明の主旨を逸脱しない範囲で自由に変更できることは勿論である。
【００７０】
例えば、上記実施形態では、支柱１２の外側面（カバー部材３６側）にパネル１８を設置する構成を例示したが、パネル１８は、支柱１２の内側面（支柱本体３４側）に設置しても勿論よい。
【００７１】
また、上記実施形態では、什器１１として、一対以上の支柱１２，１２を設けた構成を例示したが、支柱１２はその下部に脚部２６を放射状に設けることで１本のみで立脚されるものであってもよい。
【符号の説明】
【００７２】
１０  物品の取付構造
１１  什器
１２  支柱
１２ａ，１２ｂ  端面
１４  天板
１６  取付具
１８  パネル
１８ａ  表面
１８ｂ  裏面
２８  係合孔
３０ａ，４４ａ  係合爪部
３３，５６ｂ  取付孔
３４  支柱本体
３５  化粧ナット
３６  カバー部材
４０ａ  第１前方ブラケット
４０ｂ  第２前方ブラケット
４２ａ  第１後方ブラケット
４２ｂ  第２後方ブラケット
４４  フック部
４６  プレート部
４８  取付部
５４  支持部材
５６  背板
５８  底板
【図１】
2014090908.tif 000003
【図２】
2014090908.tif 000004
【図３】
2014090908.tif 000005
【図４】
2014090908.tif 000006
【図５】
2014090908.tif 000007
【図６】
2014090908.tif 000008
【図７】
2014090908.tif 000009
【図８】
2014090908.tif 000010
【図９】
2014090908.tif 000011